(57)【特許請求の範囲】
【請求項１】
締付ボルトおよびナットと，
前記ナットを、その側周に隙間をおいて収納出来る凹部を有し、その対向する２つの開口縁にフランジを設け、該フランジにボルトまたはネジ釘を挿通するための孔を設けてなるナット受け座と，
縁部に前記締付けボルトの径よりも大きい径のバカ孔を設けた蓋と，
底部、または、底部の内縁に内方向に設けた棚において、前記蓋のバカ孔に対応する位置に、前記締付けボルトの径よりも大きい径のバカ孔を設け、そのバカ孔の周辺に、前記ナット受け座のフランジの孔に対応してネジ孔を設けた受け枠と、
前記フランジの孔と前記受け枠のネジ孔を対応させて、それらの孔およびネジ孔に挿通・螺入するためのボルトまたはネジ釘と，
よりなり、前記ナット受け座の凹部に前記ナットを収納し、ナット受け座の凹部開口を前記受け枠の底部または棚に向けてフランジを当接させ、フランジの孔と受け枠の底部または棚のネジ孔を対向させて、前記ボルトまたはネジ釘を螺入してナット受け座を受け枠の底部または棚に固定し、受け枠に前記蓋を嵌合し、前記蓋の縁部のバカ孔に前記締付ボルトを挿通し、更にその先端を受け枠の底部または棚のバカ孔に挿通し、更にナット受け枠に収納されているナットのネジ孔に螺入して蓋を受け枠に固定することを可能としたマンホール。
【請求項２】
締付ボルトおよびナットと，
底部、または、底部の内縁に内方向に設けた棚に、前記ナットを、その側周に隙間をおいて収納出来る凹部を有し、前記底部、または、底部の内縁に内方向に設けた棚に、前記凹部の底に貫通する、前記締付けボルトの径よりも大きい径のバカ孔と、前記凹部の開口外周部にボルトまたはネジ釘用のネジ孔を設けてなるマンホールの受け枠と，
前記受け枠のネジ孔用のボルトまたはネジ釘と，
前記凹部の開口外周部のボルトまたはネジ釘用のネジ孔に対応する孔を設け、前記凹部の開口縁に当接し、前記ボルトまたはネジ釘で前記底部、または、底部の内縁に内方向に設けた棚に固定できるプレートと，
縁部に前記締付けボルトの径よりも大きい径のバカ孔を設けた蓋と，
よりなり、前記凹部に前記ナットを収納し、凹部開口縁に前記プレートを当接し、前記ボルトまたはネジ釘でプレートを受け枠の底部または棚に固定し、受け枠に前記蓋を嵌合し、前記蓋の縁部のバカ孔に前記締付ボルトを挿通し、更にその先端を受け枠の底部または棚のバカ孔に挿通し、更に凹部に収納されているナットのネジ孔に螺入して蓋を受け枠に固定することを可能としたマンホール。
【発明の詳細な説明】
【０００１】
【発明の属する技術分野】
この発明は、上水溝、下水溝や、電線、ガス管等の地下構造物のためのマンホールで、蓋をボルトで受け枠に固定する型式のものに関するものである。
【０００２】
【従来の技術】
従来のマンホールの受け枠および蓋は鋳物で形成されており、蓋に孔を、受け枠にネジ孔を設け、蓋の孔にボルトを挿入し、受け枠のネジ孔にボルトを螺入ししている。そして、受け枠のネジ孔は、鋳型による成形時に、蓋の縁部の孔に対応して孔を設け、その孔をネジ切りしている。
【０００３】
【発明が解決しようとする課題】
鋳造においては、鋳造後の冷却の際に、形状の相違するものは収縮度の違いがあり、受け枠底部のネジ孔と蓋縁部の孔とを正確に対応させることは非常に難しく、ボルトでの挿入回転に多少の無理があって締付に非常に力を必要としたり、ひどい場合には孔またはネジ孔を修正しなければならず、孔またはネジ孔を修正した場合には蓋と受け枠との固定に緩みが生ずる恐れがある。
また、蓋の孔と受け枠のネジ孔にボルトを挿入・螺入して受け枠と蓋とを固定しているので、蓋および受け枠が錆びるとボルトが蓋の孔と受け枠のネジ孔に錆び付き、取り外しが困難となり、したがって、蓋を開くこともむつかしくなる。
【０００４】
この発明は、蓋と受け枠の双方に挿通孔を設け、蓋および受け枠の鋳造においてそれぞれの孔の対応位置に厳密な正確性を必要とせず、しかも、蓋と受け枠との固定を確実に出来、また、ボルトが蓋および受け枠の孔に錆び付くおそれのないマンホールを提供することを目的とする。
【０００５】
【課題を解決するための手段】
請求項１の発明では、マンホールを、
締付ボルトおよびナットと，
前記ナットを、その側周に隙間をおいて収納出来る凹部を有し、その対向する２つの開口縁にフランジを設け、該フランジにボルトまたはネジ釘を挿通するための孔を設けてなるナット受け座と，
縁部に前記締付けボルトの径よりも大きい径のバカ孔を設けた蓋と，
底部、または、底部の内縁に内方向に設けた棚において、前記蓋のバカ孔に対応する位置に、前記締付けボルトの径よりも大きい径のバカ孔を設け、そのバカ孔の周辺に、前記ナット受け座のフランジの孔に対応してネジ孔を設けた受け枠と、
前記フランジの孔と前記受け枠のネジ孔を対応させて、それらの孔およびネジ孔に挿通・螺入するためのボルトまたはネジ釘と，
で構成し、前記ナット受け座の凹部に前記ナットを収納し、ナット受け座の凹部開口を前記受け枠の底部または棚に向けてフランジを当接させ、フランジの孔と受け枠の底部または棚のネジ孔を対向させて、前記ボルトまたはネジ釘を螺入してナット受け座を受け枠の底部または棚に固定し、受け枠に前記蓋を嵌合し、前記蓋の縁部のバカ孔に前記締付ボルトを挿通し、更にその先端を受け枠の底部または棚のバカ孔に挿通し、更にナット受け枠に収納されているナットのネジ孔に螺入して蓋を受け枠に固定することを可能とする。
【０００６】
請求項２の発明では、マンホールを、
締付ボルトおよびナットと，
底部、または、底部の内縁に内方向に設けた棚に、前記ナットを、その側周に隙間をおいて収納出来る凹部を有し、前記底部、または、底部の内縁に内方向に設けた棚に、前記凹部の底に貫通する、前記締付けボルトの径よりも大きい径のバカ孔と、前記凹部の開口外周部にボルトまたはネジ釘用のネジ孔を設けてなるマンホールの受け枠と，
前記受け枠のネジ孔用のボルトまたはネジ釘と，
前記凹部の開口外周部のボルトまたはネジ釘用のネジ孔に対応する孔を設け、前記凹部の開口縁に当接し、前記ボルトまたはネジ釘で前記底部、または、底部の内縁に内方向に設けた棚に固定できるプレートと，
縁部に前記締付けボルトの径よりも大きい径のバカ孔を設けた蓋と，
で構成し、前記凹部に前記ナットを収納し、凹部開口縁に前記プレートを当接し、前記ボルトまたはネジ釘でプレートを受け枠の底部または棚に固定し、受け枠に前記蓋を嵌合し、前記蓋の縁部のバカ孔に前記締付ボルトを挿通し、更にその先端を受け枠の底部または棚のバカ孔に挿通し、更に凹部に収納されているナットのネジ孔に螺入して蓋を受け枠に固定することを可能とする。
【０００７】
【発明の実施の形態】
この発明に係るマンホールの実施の形態を図面により説明する。
【０００８】
受け枠１の底部２に孔３を設け、蓋４の縁部に孔３に対応して孔５を設ける。孔３および５の径は、締付ボルト１３の径よりも大きく、バカ孔である。
【０００９】
図２に示すものは、固定装置の部材である。
（Ａ）（Ｂ）（Ｃ）に示すものは、ナット受け座６であって、（Ａ）はその断面図、（Ｂ）は底面図、（Ｃ）は平面図である。
【００１０】
ナット受け座６は、１枚のステンレス板を折り曲げ加工し、角形の凹部７を形成し、対向する２つの縁に外方向にフランジ８、８を形成する。そして、凹部７の底に、蓋４と受け枠１とを締め付けるための締付ボルト１３のための孔９を設け、２つのフランジ８のそれぞれに、ナット受け座６を受け枠１の底部２に固定するためのボルトを貫通させるための孔１０を設ける。孔９および１０はバカ孔である。
ナット受け座６は、鋳物または合成樹脂で形成してもよい。
孔９は締付ボルト１３の径よりも少し大きい径の孔とする。孔９は、締め付けボルト１３が凹部７の底に達しない長さの場合には、設けなくけもよい。
【００１１】
図２の（Ｄ）および（Ｅ）に示すものは、ナット受け座６の凹部７に入れるナット１１であって、（Ｄ）はその断面図であり、（Ｅ）は平面図である。
ナット１１は、ナット受け座６の凹部７に入れた時に、周囲が凹部７の内壁との間に僅かに間隔を有し遊びがある大きさの角形のものである。ナット１１の厚みは、大体凹部７の深さより薄くして、遊びを設ける。
１２は締付ボルト１３用のネジ孔である。
【００１２】
図２（Ｆ）は締付ボルト１３の斜視図である。
締付ボルト１３の頭部は、図においては、公知の三角ボルトを示しているが、六角ボルトや頭部にドライバー用溝を設けた丸形ボルトでもよい。
【００１３】
図２の（Ｇ）はナット受け座６のフランジ８、８を受け枠１の底部２に固定するためのボルト１４である。ボルト１４はネジ釘でもよい。
【００１４】
受け枠１の底部２の孔３の両側にナット受け座６のフランジ８の孔１０、１０に対応してボルト１４を螺入するためのネジ孔１５、１５を設ける。
【００１５】
受け枠１の底部２が、ナット受け座６を取り付けるためのスペースがない規格のものである場合には、図４に示すように、底部２の内縁に内方向に棚１６を設け、棚１６に締付ボルト１３用の孔３と、ナット受け座６の取付け用のネジ孔１５、１５を設ける。
１７は、受け枠１の内部立ち上がり部である。
【００１６】
上記部材を用いて、次のように蓋４を受け枠１に固定する。
まず、ナット１１をナット受け座６の凹部７に入れ、凹部７の開口を底部２または棚１６の下面に向け、フランジ８、８を受け枠１の底部２または棚１６の下面に当接させ、ナット受け座６の孔１０、１０と底部２または棚１６のネジ孔１５、１５とを対応させてボルト１４、１４を、孔１０、１０と１５、１５に螺入してナット受け座６を底部２または棚１６に固定する。
更にボルト１４とフランジ８との接触部の一部を溶接固定してもよい。
【００１７】
次いで、蓋４を受け枠１に嵌合させ、締付ボルト１３を蓋４の孔５に挿通し、その先端を受け枠１の底部２または棚１６の孔３を挿通し、次いでナット１１のネジ孔１２に螺入し、ナット受け座６の底の孔９を挿通する。
【００１８】
蓋４を受け枠１より取り外したい時には、締付ボルト１３を反対に廻して引き抜けばよい。
【００１９】
ナット受け座６を、受け枠１の底部２または棚１６の下面に固定したが、受け枠１の底部２または棚１６の上面と蓋４の下面との間に充分な間隔がある設計の場合には、底部２および棚１６の上面に、ナット受け座６を図２（Ａ）に示す状態と上下を反対にして固定してもよい。
図３は、受け枠１の底部２の上面にナット受け座６を取付けた状態を示す平面図である。
図３の受け枠１に蓋をする場合に、受け枠１の底部２に当接する蓋４の周縁下端がナット受け座６に当たり蓋４が閉められない場合には、その蓋の周縁下端部分を切り欠いて逃げを設け、蓋の周縁下端がナット受け座６を押さえることがないようにする。
【００２０】
ナット１１の周囲とナット受け座６の凹部７の内壁との間に間隔があって余裕、すなわち、遊びがあり、凹部７の底の孔９も締付ボルト１３の径よりも大きいので、孔５、孔３、ネジ孔１２、および孔９の対応が容易で、従ってそれらに締付ボルト１３の螺入、挿入が容易である。
ナット１１の周囲と凹部７の内壁との間に間隔があるが、締付ボルト１３による螺入により、ナット１１は受け枠１の底部２または棚１６の下面がナット受け座６の底に強く引き付けられ固定する。これにより蓋４は受け枠１に固定する。
【００２１】
図５は他の実施の形態を示す。
受け枠１の底部２に充分な厚みがある場合、さもなくは部分的に厚くして、そこにナット１１を前記のとおり余裕間隔を開けて収納できる凹部７ａを設ける。先の実施の形態と同様に、底部２の内縁に内方向に棚を設け、その棚に凹部７ａを設けてもよい。
凹部７ａの開口は図においては下方に向けて設けているが、上方向きに開口させてもよい。
そして、凹部７ａの底で底部２または棚に締付ボルトの径よりも大きい径のバカ孔３を貫通させる。
【００２２】
そして、締付ボルト１３の先端を余裕をもって挿通し得る孔９ａを設け、その両側方にボルト１４のための孔１８を設けたプレート１９を、凹部７ａにナット１１を収納した後に、底部２または棚１６の凹部７ａの周囲に当接させ、孔１８と、それに対応して底部２または棚１６に設けたネジ孔２０とにボルト１４またはネジ釘を螺入して固定する。
孔９ａは、締め付けボルト１３がプレート１９に達しない長さの場合には、設けなくけもよい。
【００２３】
図５に示す装置の場合にも、前述の実施の形態の場合と同様に、蓋４のバカ孔５、受け枠１の底部２のバカ孔３およびナット１１のネジ孔１２を対応させて締付ボルト１３の挿入螺着するのが容易である。
【００２４】
締付ボルト１３を蓋４の孔５に挿入する際には、パッキン２１および座金２２を装着すれば、孔５からマンホール内へ水が流下するのを防ぐことができる。
【００２５】
締付ボルト１３とナット１１とを錆ない材質、たとえばステンレス製とするのが好ましい。
【００２６】
【発明の効果】
この発明に係るマンホールは、蓋の孔と受け枠の底の孔とを正確に対応させなくてもよく、すなわち余裕をもって対応させることが可能であるので、蓋および受け枠の鋳造に神経を使う必要がなく、また鋳造後孔を修正する必要がなく、蓋と受け枠の固定が容易、確実であり、製造コストが安い。
また、蓋および受け枠のボルト挿入用孔はバカ孔で、蓋および受け枠の孔にネジ切りをしていないので、鋳物が錆ても、締付ボルトが蓋および受け枠の孔に錆び付くおそれがなく、従って、締付ボルトを取り外して蓋を開くことが容易である。
【図面の簡単な説明】
【図１】蓋と受け枠を固定装置で固定した状態の説明断面図である。
【図２】固定装置の分解説明図である。
【図３】受け枠の平面図である。
【図４】棚を設けた受け枠の要部平面図である。
【図５】他の実施の形態の蓋と受け枠を固定装置で固定した状態の説明断面図である。
【符号の説明】
１    受け枠
２    底部
３    バカ孔
４    蓋
５    バカ孔
６    ナット受け枠
７    凹部
８    フランジ
９    孔
１０  孔
１１  ナット
１２  ネジ孔
１３  締付ボルト
１４  ボルト
１５  ネジ孔
１６  棚
１７  内部立ち上がり部
１８  孔
１９  プレート
２０  ネジ孔
２１  パッキン
２２  座金
【図１】
0003798152.tif 000002
【図２】
0003798152.tif 000003
【図３】
0003798152.tif 000004
【図４】
0003798152.tif 000005
【図５】
0003798152.tif 000006